(57)【特許請求の範囲】
【請求項１】
鉄筋コンクリートを生成する際に鉄筋と型枠または床との間に所定の空間を保持するための鉄筋コンクリート用スペーサーであって、
先端が同一平面上にあり同一円周上に配されている４個の膨出部を有し、各膨出部の間は滑らかな円弧状曲面となっており、前記先端が前記型枠または前記床に当接して配される略４角錐台状を呈するコンクリート製ブロックと、基部が該コンクリート製ブロックの後端面に固定されるとともに、前記鉄筋を保持する取付け部を備えた係止金具を有し、
該係止金具は、バネ線材を中間で対称的に折り曲げて形成した複数の平行なフックからなり、
前記基部は前記コンクリート製ブロックの後端面に埋設される中間部であり、
前記取付け部は前記基部の両側を外側に曲げた拡開部と、つづいて内側に曲げた湾曲部と、さらに前側に曲げた返り部とからなり、
前記膨出部は半球状を呈し、４個の膨出部は前記コンクリート製ブロックの先端面の４角に形成されていることを特徴とする鉄筋コンクリート用スペーサー。
【発明の詳細な説明】
【０００１】
【発明の属する技術分野】
この発明は、製品の表面に露出する面を低減させた鉄筋コンクリート用スペーサーに関する。
【０００２】
【従来の技術】
鉄筋コンクリート用スペーサーは、型枠内または床の上に鉄筋を配し、コンクリートを流し込んで鉄筋コンクリート製品またはコンクリートの打ち込み床を生成する際に使用される。鉄筋コンクリート用スペーサーは、先端面が型の内面または床面に接触するコンクリート（モルタルを含む）製ブロックと、該ブロックの後端面に鉄筋に係止する係止具を固着した構造を有する。
【０００３】
ブロックは、型枠の内面または床面に接触する先端面が略平面となっており、鉄筋コンクリート製品の表面にブロックの平面が露出する。係止具は、鉄板製または樹脂製で、ブロックの後端面に埋設される基部と鉄筋を挟み込む筒状の取付け部とからなるフック、または、略Ｕ字形に曲げた基部をブロックの後端面に埋設し、両端部を略逆Ｓ形に曲げて取付け部としたバネ線材製クリップが使用されている。
【０００４】
【発明が解決しようとする課題】
先端面が平面的であるブロックを用いると鉄筋コンクリート製品にブロックの先端面が大きく露出するため、外観が悪くなるとともに表面にブロックと生成コンクリートとの境界線が多くなり、表面強度が低下する。また、係止具が樹脂製であると製品の鉄筋コンクリート中に熱膨張率が大きい異物が残りひび割れの原因となり、鉄板で形成した係止具では高コストである。さらに、取付け部が筒状であると、鉄筋が交差している部分への取付けができない。
【０００５】
従来のバネ線材製クリップは、鉄筋からの外れを阻止するための返し部分がないため、鉄筋組に多数のスペーサーを予め取り付けた後に型枠に納める作業中に、ブロックと型枠との摩擦でスペーサーが脱落し易い。また、スペーサーを鉄筋組へ取付ける時などに、突起となっているバネ線材の先端が指に刺さったりする不具合がある。
【０００６】
この発明の目的は、製品の表面に露出するブロック面を小さくでき、仕上がりの綺麗な鉄筋コンクリート製品を製造できる鉄筋コンクリート用スペーサーの提供にある。
請求項３に記載の発明の目的は、低コストに製造でき、装着が容易でかつ脱落しにくい係止金具を有する鉄筋コンクリート用スペーサーの提供にある。
【０００７】
【課題を解決するための手段】
この発明では、鉄筋コンクリートを生成する際に鉄筋と型枠または床との間に所定の空間を保持するための鉄筋コンクリート用スペーサーであって、先端が同一平面上にあり同一円周上に配されている４個の膨出部を有し、各膨出部の間は滑らかな円弧状曲面となっており、該先端が型枠または床に当接して配される略４角錐台状を呈するコンクリート（モルタルを含む）製ブロックと、基部が該コンクリート製ブロックの後端面に固定されるとともに、鉄筋を保持する取付け部を備えた係止金具を有し、係止金具は、バネ線材を中間で対称的に折り曲げて形成した複数の平行なフックからなり、基部はコンクリート製ブロックの後端面に埋設される中間部であり、取付け部は基部の両側を外側に曲げた拡開部と、つづいて内側に曲げた湾曲部と、さらに前側に曲げた返り部とからなり、膨出部は半球状を呈し、４個の膨出部はコンクリート製ブロックの先端面の４角に形成されている。
膨出部が、４個であり、半球状を呈するとともに、先端が同一円周上にあることは、鉄筋を型枠に設置した際の安定性および膨出部間に対するコンクリートの充填性を確保する観点から望ましい。この点、各膨出部の間は、滑らかな円弧状曲面となっているので、コンクリートが各膨出部間の隙間から内部に流出し易くなり、コンクリートの充填性が一段と向上する。
【０００８】
【発明の作用および効果】
この発明では、鉄筋コンクリートを生成する際に鉄筋と型枠または床と接触するブロックの先端面が３個以上の膨出部を有するため、鉄筋コンクリート製品には小さな点が３個以上露出するのみである。このため、製品の表面に現れる境界線が少なく、製品の表面に露出するブロック面を小さくでき、表面の強度が高く仕上がりの綺麗な鉄筋コンクリート製品を製造できる。
【０００９】
さらに、この発明の係止金具は、バネ線材を中間で対称的に折り曲げて形成した複数の平行なフックからなり、基部はコンクリート製ブロックの後端面に埋設される中間部であり、取付け部は基部の両側を外側に曲げた拡開部と、つづいて内側に曲げた湾曲部と、さらに前側に曲げた返り部とからなる。フックはバネ線材により製造されるため、安価に量産することができ、コンクリート製ブロックへの固定も容易であるため鉄筋コンクリート用スペーサーの製造コストが安くなる。また、鉄筋コンクリート用スペーサーの装着時には、取付け部を鉄筋に押圧することで容易に装着することができ、一旦、鉄筋コンクリート用スペーサーを鉄筋に取り付けると、返り部の先端が鉄筋に引っ掛かるため、鉄筋コンクリート用スペーサーが容易に脱落することがない。さらに、２つのフック間に交差する鉄筋を挟むことが可能であるため、鉄筋組の鉄筋交差部分への取付けも可能となる。
【００１０】
【発明の実施の形態】
図１はこの発明に係る鉄筋コンクリート用スペーサー１（以後、単にスペーサー１と称す）を示し、コンクリート製ブロック２（以後、単にブロック２と称す）と、該ブロック２の後端面に固着された係止金具３とからなる。ブロック２は、略４角錐台状を呈するとともに、先端面の４角には４つの膨出部４が形成されている。なお、ブロック２は円錐台状、４角錐台以外の角錐台状であってもよい。
【００１１】
膨出部４は半球状を呈し、各先端４１が同一円周上に等間隔に設定されている。各膨出部４の間４２は滑らかな円弧状曲面となっており、型に流し込まれた生コンクリートが４つの膨出部４の隙間に流入し易くなっている。膨出部４は、円錐台状であってもよいが、この場合は鉄筋コンクリート製品への露出面積が幾分大きくなる。
【００１２】
係止金具３は、バネ線材で形成され、ブロック２の後端面に平行して固定された一対のフック３０、３０からなる。フック３０は、所定の長さのバネ線材を中心でＵ字形に曲げて形成した基部３１を有する。基部３１は、ブロック２に埋め込まれ、ブロック２の後端面から露出した基部３１の両側部分は、取付け部３２、３２となっている。取付け部３２、３２は、外側に向かって広がった拡開部３３、３３（図３参照）、および略Ｊ字形に内側に曲げられた湾曲部３４、３４（図３参照）、および返り部３５、３５からなる。
【００１３】
スペーサー１は、図２に示す如く、鉄筋組５の多数の所定位置に、鉄筋５１を取付け部３２、３２で把持させることにより取り付けられる。返り部３５、３５を鉄筋５１に押圧すると返り部３５、３５は拡開し、図３に示す如く、鉄筋５１は取付け部３２、３２内に嵌まり込む。これにより、返り部３５、３５の先端は鉄筋５１に引っ掛かって脱落することを防止する。なお、スペーサー１を、縦横の鉄筋５１、５１の交差部５２に取付ける場合には、横の鉄筋５１の上下を取付け部３２、３２で挟むようにする。
【００１４】
多数のスペーサー１を分散して取り付けた鉄筋組５は、鉄筋コンクリートを生成する際、生コンクリートが充填される鉄筋コンクリート製品形成用の型枠６内に配されている。この際、４つの膨出部４の先端４１は型枠６の内壁面６１に当接して、鉄筋組５と内壁面６１との間に所定値の隙間を確保している。生コンクリートＡが型枠６内に充填されると、滑らかな円弧状曲面となっている各膨出部４の間４２から、スペーサー１の先端側に、生コンクリートＡが円滑に流動する。なお、型枠６の代わりに、床（図示せず）に対して生コンクリートＡを流すようにしてもよい。
【００１５】
図４は鉄筋コンクリート製品７を示し、表面７１には４つの膨出部４の先端４１が小さい点７２として露出するのみであり、外観が優れるとともに、継ぎ目が小さいため表面強度が高い。膨出部４は、３個又は５個以上であってもよいが、設置時の安定性および生コンクリートの流動性の観点から４個を同一円周上に等間隔に配することが最も望ましい。また、３個以上のフック３０で係止金具３を構成してもよい。
【図面の簡単な説明】
【図１】鉄筋コンクリート用スペーサーの斜視図である。
【図２】鉄筋コンクリートの製造装置の要部拡大図である。
【図３】鉄筋コンクリート製品の斜視図である。
【図４】鉄筋コンクリートの製造製品の断面図である。
【符号の説明】
１    鉄筋コンクリート用スペーサー
２    コンクリート製ブロック
３    係止金具
３０  フック
３１  基部
３２  取付け部
３３  拡開部
３４  湾曲部
３５  返り部
４    膨出部
４２  膨出部の間
５    鉄筋組
６    型枠
７    鉄筋コンクリート製品
５１  鉄筋
【図１】
0003913452.tif 000002
【図２】
0003913452.tif 000003
【図３】
0003913452.tif 000004
【図４】
0003913452.tif 000005